(57)【要約】      （修正有）【課題】煙感知器の試験を行う作業時間が短時間で済み、試験に使用した煙の再利用を可能とし、更に信号ケーブルを不要にして操作性を向上可能とする煙感知器試験装置を提供する。【解決手段】煙感知器試験装置１０の装置本体１２は、外部に開放された感知器試験部２８と隔壁２４で仕切られた煙溜り部２６に分離される。両者の間は、開閉装置３４を備えたインテークパイプ３０とエグゾーストパイプ３２の循環経路で連結される。試験準備操作を行うと、開閉装置の閉鎖状態で発煙装置４０が作動して煙が放出され、送風部３６の駆動で拡散され、濃度計３８の濃度が所定濃度に達したら試験準備完了を報知し、これを受けて試験開始操作を行うと開閉装置が開放され、煙溜り部から感知器試験部に煙が流入され、煙感知器１００が試験発報したときに、濃度計で検出されている煙濃度を試験結果として求める。試験終了操作を行うと開閉装置が閉鎖される。【選択図】図１
2018185640.tif 000002
【特許請求の範囲】
【請求項１】
煙感知器の試験を行う装置本体と、
前記装置本体に煙を供給する発煙装置と、
一端側に把持部が配置され、他端側に前記装置本体が配置された支持棒と、
を備え、
前記装置本体は、
前記発煙装置から供給される煙を溜める煙溜り部と、
前記煙感知器の試験中は前記煙溜り部を外部に開放し、非試験中は前記煙溜り部を閉鎖する開閉部と、
を備えることを特徴とする煙感知器試験装置。
【請求項２】
請求項１の煙感知器試験装置に於いて、
前記装置本体は、更に、
外部に開放された感知器試験部と、
前記感知器試験部と前記煙溜り部とを仕切り分離する隔壁と、
前記隔壁を貫通して前記煙溜り部から前記感知器試験部に煙を流入させると共に前記感知器試験部から前記煙溜り部に煙を流出させる循環経路と、
前記循環経路に設けられて流路を開閉させることで前記開閉部として機能する開閉装置と、
前記発煙装置により放出された煙を拡散させる送風部と、
を備えることを特徴とする煙感知器試験装置。
【請求項３】
請求項１記載の煙感知器試験装置に於いて、
前記煙溜り部に煙濃度を検出する煙濃度計を備え、
前記支持棒の把持部側に前記濃度計の検出した濃度情報を表示する表示部を備え、感度試験装置として機能することを特徴とする煙感知器試験装置。
【請求項４】
請求項２及び３記載の煙感知器試験装置に於いて、
前記支持棒の把持部側に遠隔制御部を備え、
前記遠隔制御部による所定の操作指示に基づき、前記開閉装置を閉鎖させた状態で前記発煙装置を作動させて擬似煙を発生させると共に前記送風部を作動させた後に前記開閉装置を開放して感度試験を行わせ、前記感度試験が終了した場合に前記開閉装置を閉鎖させることを特徴とする煙感知器試験装置。
【請求項５】
請求項４記載の煙感知器試験装置に於いて、
前記制御部は、前記遠隔制御部による所定の試験準備操作を検出した場合に、前記開閉装置を閉鎖させた状態で前記発煙装置を作動させて煙を放出させる共に前記送風部を作動させ、前記濃度計により検出された煙濃度が所定の試験開始濃度に達した場合に試験準備完了を前記遠隔操作器から報知させ、所定の試験開始操作を検出した場合に前記開閉装置を開放して感度試験を行わせ、更に、所定の試験終了操作を検出した場合に、前記開閉装置を閉鎖させることを特徴とする煙感知器試験装置。
【請求項６】
請求項４記載の煙感知器試験装置に於いて、
前記装置本体の前記制御部と前記遠隔制御器との間で無線通信により信号を送受信することを特徴とする煙感知器試験装置。
【請求項７】
請求項４記載の煙感知器試験装置に於いて、前記制御部は、感度試験による煙感知器の発報に対応して前記濃度計で検出された発報煙濃度を試験履歴として、外部から読出し自在なメモリに記憶させることを特徴とする煙感知器試験装置。
【請求項８】
（試験発報の自動検出と報知）
請求項４記載の煙感知器試験装置に於いて、
前記感知器試験部に、煙感知器に設けられた発報表示灯の作動を検出する発報検出部が設けられ、
前記制御部は、感度試験中に前記発報検出部による前記発報表示灯の作動を検出した場合に、前記遠隔制御器から感知器発報を報知させることを特徴とする煙感知器試験装置。
【請求項９】
請求項４記載の煙感知器試験装置に於いて、
前記制御部は、前記発報表示灯の作動を検出した場合に、更に、前記開閉装置を閉鎖位置に作動させて試験準備状態とし、また、前記濃度計で検出された発報煙濃度を試験履歴としてメモリに記憶させることを特徴とする煙感知器試験装置。
【請求項１０】
請求項４記載の煙感知器試験装置に於いて、
前記発煙装置は、所定サイズの発煙スプレー缶と同じ外形をもつ前記筐体内に、
一端に空気の流入口を有すると共に他端に煙の放出口を有する筒体と、
前記筒体内に配置されたヒータと、
前記ヒータと共に前記筒体内に収納され、加熱により気化する前記所定の水溶性液体が含浸された液体供給部と、
前記筒体の流入口に加圧空気を供給する発煙送風部と、
前記試験制御部から作動指示を受けた場合に、前記発煙送風部を駆動して前記筒体内に加圧空気を送ると共に前記ヒータの通電による加熱で気化した前記水溶性液体を霧化して擬似煙を発生させ、前記筒体から放出された前記擬似煙を前記煙り溜り部に放出させる発煙制御部と、
が設けられたことを特徴とする煙感知器試験装置。
【請求項１１】
請求項１０記載の煙感知器試験装置に於いて、前記ヒータ及び前記液体供給部を備えた筒体を、着脱自在なカートリッジ構造体としたことを特徴とする煙感知器試験装置。
【請求項１２】
請求項１０記載の煙感知器試験装置に於いて、
前記水溶性液体は、プロピレングリコール、グリセリン、ジプロピレングリコール、トリプロピレングリコール又はグリコールのうち少なくとも一の成分を含むものであることを特徴とする煙感知器試験装置。
【発明の詳細な説明】
【技術分野】
【０００１】
本発明は、煙感知器の試験に用いられる煙感知器試験装置に関する。
【背景技術】
【０００２】
従来、オフィス等の建物内には火災報知設備が設置されており、火災が発生した場合に、火災により発生した煙を煙感知器で検知して発報信号を受信機に送って火災警報を出力させ、消火、避難、消防活動を行うことができるようにしている。
【０００３】
火災報知設備は、建物への設置後、定期的に点検が行われており、煙感知器については、天井面に設置された煙感知器を取外し、点検の際に持ち込んだ煙感知器試験装置を使用して煙感知器の感度試験を行っている。
【０００４】
しかしながら、このような従来の煙感知器試験装置にあっては、煙感知器を取り外して感度試験を行う必要があるため、煙感知器の取り外し作業と取り付け作業に手間がかり、作業負担が大きいという問題があった。
【０００５】
この問題を解決するため、先端に濃度計を備えた加煙試験器を設けた煙感知器試験装置が実用化されており、天井面に設置された煙感知器を取り外すことなく、支持棒の先端に支持した加煙試験器を下側から煙感知器を覆うように当てることで、感度試験を簡単に行うことを可能としている。
【先行技術文献】
【特許文献】
【０００６】
【特許文献１】特平２０１３−１２７７６６号公報
【特許文献２】特平２０１３−１２７７６５号公報
【発明の概要】
【発明が解決しようとする課題】
【０００７】
しかしながら、このような従来の煙感知器試験装置にあっては、濃度計を内蔵した加煙試験器は、上向きに開放された試験器内に発煙装置、送風ファン及び濃度計を配置しており、天井面の煙感知器に下から加煙試験器を当てた状態で、発煙装置から煙を試験器内に放出させて試験発報させており、煙を放出してから煙濃度が上昇して煙感知器が試験発報するまで時間がかかり、その間、支持棒により加煙試験器を煙感知器に当てた状態を保持していなければならず、作業負担が大きいという問題がある。
【０００８】
また、感度試験作業は、複数の煙感知器に対し設置場所を移動しながら感度試験を順次行うが、一度、感度試験を行って次に感度試験を行う場合、移動している間に、試験器内に放出していた煙は抜け出してしまい、次に煙を放出してから煙濃度が上昇して煙感知器が試験発報するまで時間がかかり、また、発煙装置から放出された煙が無駄になる問題がある。
【０００９】
更に、支持棒の先端に設けた加煙試験器に内蔵した濃度計に対し、作業者側に制御装置を配置して濃度表示を行っており、濃度計と制御装置の間は信号線ケーブルで接続していることから、信号ケーブルにより重量が増加し、操作を妨げる要因となっている。
【００１０】
本発明は、支持棒により天井面に設置された煙感知器に下から当てて試験を行う作業時間が短時間で済み、また、試験に使用した煙の再利用を可能とし、更に、信号ケーブルを不要にして操作性を向上可能とする煙感知器試験装置を提供することを目的とする。
【課題を解決するための手段】
【００１１】
（煙感知器試験装置）
本発明は、煙感知器試験装置に於いて、
煙感知器の試験を行う装置本体と、
装置本体に煙を供給する発煙装置と、
一端側に把持部が配置され、他端側に装置本体が配置された支持棒と、
を備え、
装置本体は、
発煙装置から供給される煙を溜める煙溜り部と、
煙感知器の試験中は煙溜り部を外部に開放し、非試験中は煙溜り部を閉鎖する開閉部と、
を備えることを特徴とする。
【００１２】
（装置本体の構造）
装置本体は、更に、
外部に開放された感知器試験部と、
感知器試験部と煙溜り部とを仕切り分離する隔壁と、
隔壁を貫通して煙溜り部から感知器試験部に煙を流入させると共に感知器試験部から煙溜り部に煙を流出させる循環経路と、
循環経路に設けられて流路を開閉させることで開閉部として機能する開閉装置と、
発煙装置により放出された煙を拡散させる送風部と、
を備える。
【００１３】
（感度試験装置としての機能）
煙溜り部に煙濃度を検出する煙濃度計を備え、
支持棒の把持部側に濃度計の検出した濃度情報を表示する表示部を備え、感度試験装置として機能する。
【００１４】
（遠隔操作器と操作指示）
支持棒の把持部側に遠隔制御部を備え、
遠隔制御部による所定の操作指示に基づき、開閉装置を閉鎖させた状態で発煙装置を作動させて擬似煙を発生させると共に送風部を作動させた後に開閉装置を開放して感度試験を行わせ、感度試験が終了した場合に開閉装置を閉鎖させる。
【００１５】
（操作指示による感度試験制御）
制御部は、遠隔制御器による所定の試験準備操作を検出した場合に、開閉装置を閉鎖させた状態で発煙装置を作動させて煙を放出させる共に送風部を作動させ、濃度計により検出された煙濃度が所定の試験開始濃度に達した場合に試験準備完了を遠隔操作器から報知させ、所定の試験開始操作を検出した場合に開閉装置を開放して感度試験を行わせ、更に、所定の試験終了操作を検出した場合に、開閉装置を閉鎖させる。
【００１６】
（装置本体と遠隔制御器の通信）
装置本体の制御部と遠隔制御器との間で無線通信により信号を送受信する。
【００１７】
（試験ログ）
制御部は、感度試験による煙感知器の発報に対応して前記濃度計で検出された発報煙濃度を試験履歴として、外部から読出し自在なメモリに記憶させる。
【００１８】
（試験発報の自動検出と報知）
感知器試験部に、煙感知器に設けられた発報表示灯の作動を検出する発報検出部が設けられ、
制御部は、感度試験中に発報検出部による発報表示灯の作動を検出した場合に、遠隔制御器から感知器発報を報知させる。
【００１９】
（発報検出に連動した制御処理）
制御部は、発報表示灯の作動を検出した場合に、更に、開閉装置を閉鎖位置に作動させて試験準備状態とし、また、濃度計で検出された発報煙濃度を試験履歴としてメモリに記憶させる。
【００２０】
（発煙装置の構成）
発煙装置は、所定サイズの発煙スプレー缶と同じ外形をもつ筐体内に、
一端に空気の流入口を有すると共に他端に煙の放出口を有する筒体と、
筒体内に配置されたヒータと、
ヒータと共に筒体内に収納され、加熱により気化する前記所定の水溶性液体が含浸された液体供給部と、
筒体の流入口に加圧空気を供給する発煙送風部と、
発煙送風部により筒体内に送られた空気の気流を検知する気流検知部と、
制御部から作動指示を受けた場合に、発煙送風部を駆動して筒体内に加圧空気を送ると共に、気流検知部により筒体内を通る気流を検知した場合に、ヒータの通電による加熱で気化した水溶性液体を霧化して擬似煙を発生させ、筒体から放出された擬似煙を前記煙り溜り部に放出させる発煙制御部と、
が設けられる。
【００２１】
（気流検知部なしの発煙装置の構成）
発煙装置は、所定サイズの発煙スプレー缶と同じ外形をもつ筐体内に、
一端に空気の流入口を有すると共に他端に煙の放出口を有する筒体と、
筒体内に配置されたヒータと、
ヒータと共に筒体内に収納され、加熱により気化する所定の水溶性液体が含浸された液体供給部と、
筒体の流入口に加圧空気を供給する発煙送風部と、
試験制御部から作動指示を受けた場合に、発煙送風部を駆動して筒体内に加圧空気を送ると共にヒータの通電による加熱で気化した水溶性液体を霧化して擬似煙を発生させ、筒体から放出された擬似煙を煙り溜り部に放出させる発煙制御部と、
が設けられる。
【００２２】
（カートリッジ構造体）
ヒータ及び液体供給部を備えた筒体を、着脱自在なカートリッジ構造体とする。
【００２３】
（水溶性液体）
水溶性液体は、プロピレングリコール、グリセリン、ジプロピレングリコール、トリプロピレングリコール又はグリコールのうち少なくとも一の成分を含む。
【発明の効果】
【００２４】
（基本的な効果）
本発明は、煙感知器試験装置に於いて、煙感知器の試験を行う装置本体と、装置本体に煙を供給する発煙装置と、一端側に把持部が配置され、他端側に装置本体が配置された支持棒とを備え、装置本体は、発煙装置から供給される煙を溜める煙溜り部と、
煙感知器の試験中は煙溜り部を外部に開放し、非試験中は煙溜り部を閉鎖する開閉部とを備えたため、煙感知器の試験を行う場合には、発煙装置から供給された煙が煙溜り部に溜まった後に開閉部により煙溜り部を外部に開放して煙感知器に煙を放出させることから、煙感知器が試験発報するまでの時間が短くて済み、作業者は煙溜り部を外部に開放しているあいだ、支持棒により煙感知器に下から当てた状態を保持していれば良いことから、その時間を短くすることができ、作業負担を低減可能とする。
【００２５】
また、煙感知器の非試験中は、開閉部により煙溜り部が閉鎖されることから、煙溜り部の煙は外部放出されずに滞留しており、次の煙感知器の試験に滞留している煙を再利用することができ、発煙装置による煙の発生量を低減でき、発煙装置による試験可能回数が増加し、消耗品としてのコストを低減可能とする。
【００２６】
（装置本体の構造による効果）
また、装置本体は、更に、外部に開放された感知器試験部と、感知器試験部と煙溜り部とを仕切り分離する隔壁と、隔壁を貫通して煙溜り部から感知器試験部に煙を流入させると共に感知器試験部から煙溜り部に煙を流出させる循環経路と、循環経路に設けられて流路を開閉させることで開閉部として機能する開閉装置と、発煙装置により放出された煙を拡散させる送風部とを備えたため、煙感知器の感度試験を行う場合には、循環経路を閉鎖した状態で煙溜り部に煙が放出され、煙が溜まった後に循環経路を開いて感知器試験部に煙を放出させることから、循環経路を開いてから煙感知器が試験発報するまでの時間が短くて済み、作業者は循環経路を開いているあいだ、支持棒により煙感知器に下から当てた状態を保持していれば良いことから、その時間を短くすることができ、作業負担を低減可能とする。
【００２７】
また、煙感知器の発報試験が終了したら還流経路が閉鎖されることから、煙溜り部の煙は外部放出されずに滞留しており、次の煙感知器の感度試験に滞留している煙を再利用することができ、発煙装置による煙の発生量を低減でき、発煙装置による試験可能回数が増加し、消耗品としてのコストを低減可能とする。
【００２８】
（感度試験装置としての機能による効果）
また、煙溜り部に煙濃度を検出する煙濃度計を備え、支持棒の把持部側に濃度計の検出した濃度情報を表示する表示部を備え、感度試験装置として機能するようにしたため、煙感知器の試験として発報試験に加え、発報する煙濃度を試験する測定して確認する感度試験装置の機能を簡単に実現することができ、この感度試験の場合にも、煙感知器の感度試験を行う作業時間が短時間で済み、また、感度試験に使用した煙の再利用が可能となる。
【００２９】
（遠隔操作器と操作指示による効果）
また、支持棒の把持部側に遠隔制御部を備え、遠隔制御部による所定の操作指示に基づき、開閉装置を閉鎖させた状態で発煙装置を作動させて擬似煙を発生させると共に送風部を作動させた後に開閉装置を開放して感度試験を行わせ、感度試験が終了した場合に開閉装置を閉鎖させるようにしたため、煙り溜り部に発煙装置からの煙を溜めた後に開閉部により外部に開放して煙感知器を試験する操作を、手元となる支持棒の把持部側に設けられた遠隔制御部の操作により容易に行うことができる。
【００３０】
（操作指示による感度試験制御）
制御部は、遠隔制御器による所定の試験準備操作を検出した場合に、開閉装置を閉鎖させた状態で発煙装置を作動させて煙を放出させる共に送風部を作動させ、濃度計により検出された煙濃度が所定の試験開始濃度に達した場合に試験準備完了を遠隔操作器から報知させ、所定の試験開始操作を検出した場合に開閉装置を開放して感度試験を行わせ、更に、所定の試験終了操作を検出した場合に、開閉装置を閉鎖させるようにしたため、操作棒の手元に配置された遠隔制御器の試験準備操作、試験開始操作及び試験終了操作に連携し、作業者は煙感知器の感度試験に先立って試験準備操作を行うと、循環経路を閉鎖した状態で煙溜り部に煙が放出され、所定の試験開始濃度に上昇したときに試験準備完了が報知されることから、このとき作業者は支持棒をもって試験対象とする煙感知器に煙感知器試験装置を下から当てた状態に保持し、この状態で試験開始操作を行うと還流経路が開放されて煙溜り部から感知器試験部に煙が放出され、短時間で煙感知器が試験発報し、支持棒により煙感知器に下から当てた状態を保持している時間が短くて済み、作業負担を大幅に低減可能とする。
【００３１】
また、作業者は煙感知器の試験発報を確認して濃度計の濃度を記録して試験が終了したら、所定の試験終了操作を行うと還流経路が閉鎖され、煙溜り部の煙は外部放出されずに滞留しており、次の煙感知器の感度試験を行う場合、試験準備操作により煙溜り部に煙を放出させると直ぐに試験開始濃度に上昇して感度試験を行うことができ、一度放出した煙の再利用により発煙装置による煙の発生量を低減でき、発煙装置による試験可能回数が増加し、消耗品としてのコストを低減可能とする。
【００３２】
（装置本体と遠隔制御器の通信による効果）
また、装置本体の制御部と遠隔制御器との間の無線通信により信号を送受信するようにしたため、支持棒の先端側に配置された装置本体と遠隔制御器との間を信号ケーブルで接続する必要がないことから、重量が増加せず、操作性を妨げることがない。
【００３３】
（試験ログによる効果）
また、制御部は、感度試験による煙感知器の発報に対応して濃度計で検出された発報煙濃度を試験履歴として、外部から読出し自在なメモリに記憶させるようにしたため、試験作業が終了した後に、メモリから試験履歴を読み出すことで、試験作業中に試験発報した濃度を記録する作業が不要となり、作業負担を低減して作業時間を短縮可能とする。
【００３４】
（試験発報の自動検出と報知による効果）
また、感知器試験部に、煙感知器に設けられた発報表示灯の作動を検出する発報検出部が設けられ、制御部は、感度試験中に発報検出部による発報表示灯の作動を検出した場合に、表示部に感知器発報を表示させるようにしたため、装置本体を煙感知器に下から当てた状態で試験発報を示す発報表示灯の点灯を確認する必要がなくなり、手元の表示器の表示から試験発報を簡単且つ確実に知って、試験発報した濃度等を確認可能とする。
【００３５】
（発報検出に連動した制御処理による効果）
また、制御部は、発報表示灯の作動を検出した場合に、更に、開閉装置を閉鎖位置に作動させて試験準備状態とし、また、濃度計で検出された発報煙濃度を試験履歴としてメモリに記憶させるようにしたため、発報表示灯の作動による試験発報が検出されると、自動的に試験発報したときの煙濃度がメモリに記憶され、また、開閉装置が自動的に閉鎖されて煙溜り部に放出されている煙が次の感度試験のために保持される。
【００３６】
（発煙装置の構成による効果）
また、発煙装置は、所定サイズの発煙スプレー缶と同じ外形をもつ筐体内に、一端に空気の流入口を有すると共に他端に煙の放出口を有する筒体と、筒体内に配置されたヒータと、ヒータと共に筒体内に収納され、加熱により気化する前記所定の水溶性液体が含浸された液体供給部と、筒体の流入口に加圧空気を供給する発煙送風部と、
発煙送風部により筒体内に送られた空気の気流を検知する気流検知部と、制御部から作動指示を受けた場合に、発煙送風部を駆動して筒体内に加圧空気を送ると共に、気流検知部により筒体内を通る気流を検知した場合に、ヒータの通電による加熱で気化した水溶性液体を霧化して擬似煙を発生させ、筒体から放出された擬似煙を前記煙り溜り部に放出させる発煙制御部とが設けられたため、既存の加煙スプレー缶と同じ外形の発煙装置を使用することで、フロンガスを使用することなく、水溶性液体の気化により霧化した擬似煙による感度試験が簡単にでき、また、既存の加煙スプレー缶と同じ外形をもつことから、装置本体への組込みが容易で設置スペースも低減可能とする。
【００３７】
また、発煙装置は、送風部により筒体に空気を送り込ながら、ヒータの通電による加熱で水溶性液体を気化させて霧化した擬似煙を発生させ、この擬似煙を煙溜り部を介して感知器試験部に送り込むことで、確実な煙感知器の感度試験を可能とし、更に、筒体内を流れる気流を気流検知部により検知している場合にヒータの通電加熱で水溶性液体を気化させて擬似煙を発生させることができ、送風部の異常などによる気流がない状態でのヒータの通電による異常な加熱を防止可能とする。
【００３８】
（気流検知部なしの発煙装置の構成による効果）
また、発煙装置は、所定サイズの発煙スプレー缶と同じ外形をもつ筐体内に、一端に空気の流入口を有すると共に他端に煙の放出口を有する筒体と、筒体内に配置されたヒータと、ヒータと共に筒体内に収納され、加熱により気化する所定の水溶性液体が含浸された液体供給部と、筒体の流入口に加圧空気を供給する発煙送風部と、試験制御部から作動指示を受けた場合に、発煙送風部を駆動して筒体内に加圧空気を送ると共にヒータの通電による加熱で気化した水溶性液体を霧化して擬似煙を発生させ、筒体から放出された擬似煙を煙り溜り部に放出させる発煙制御部とが設けられたため、前述した既存の加煙スプレー缶の同じ外形をもつ効果に加え、気流検知部を設けていない分、発煙装置の構造と制御が簡単になる。
【００３９】
（カートリッジ構造体による効果）
また、ヒータ及び液体供給部を備えた筒体を，着脱自在なカートリッジ構造体としたため、液体供給部に含浸している水溶性液体を使い切った場合に、発煙装置を取り外し、筐体内に収納されているカートリッジ構造体を簡単に交換して、煙感知器の試験作業を継続することができる。
【００４０】
（水溶性液体による効果）
水溶性液体は、プロピレングリコール、グリセリン、ジプロピレングリコール、トリプロピレングリコール又はグリコールのうち少なくとも一の成分が含まれたため、ヒータによる加熱気化により白色に近い擬似煙が生成され、的確かつ作業効率よく煙感知器を動作確認することができ，また、安価な成分の水溶性液体であることから、加煙試験器具の製造コスト及び運用コストを抑えることが可能となる。
【図面の簡単な説明】
【００４１】
【図１】感度試験装置として機能する煙感知器試験装置の第１実施形態を煙感知器の試験状態で示した説明図
【図２】装置本体と遠隔制御器の機能構成を示したブロック図
【図３】発煙装置を取り出して示した説明図
【図４】発煙カートリッジの実施形態を断面により示した説明図
【図５】発煙カートリッジを交換するために発煙装置を分解した状態を示した説明図
【図６】煙感知器試験装置の第２実施形態を示した説明図
【図７】煙感知器試験装置の第３実施形態を示した説明図
【図８】煙感知器試験装置の第４実施形態を示した説明図
【図９】煙感知器試験装置の第５実施形態を示した説明図
【発明を実施するための形態】
【００４２】
［煙感知器試験装置の概要］
図１は感度試験装置として機能する煙感知器試験装置の第１実施形態を煙感知器の試験状態で示した説明図である。図１に示すように、本実施形態の煙感知器試験装置１０は、装置本体１２、支持棒１４及び遠隔制御器（リモートコントローラ）１６で構成され、支持棒１４の先端に装置本体１２が配置され、支持棒１４の操作側となる手元側に遠隔制御器１６が配置されている。
【００４３】
（装置本体）
装置本体１２は、本体ケース１８と透明カバー２０で構成され、本体ケース１８の中に仕切板２２が配置されると共に、本体ケース１８の上部開口に隔壁２４が配置され、隔壁２４の下側に煙溜り部２６が形成され、隔壁２４の上側に配置された透明ガー２０の中に情報に開口した感知器試験部２８が形成されている。
【００４４】
煙溜り部２６と感知器試験部２８を仕切る隔壁２４には、インテークパイプ３０とエグゾーストパイプ３２が貫通配置されている。インテークパイプ３０は隔壁２４を貫通して煙溜り部２６から感知器試験部２８に煙を流入させ、エグゾーストパイプ３２は隔壁２４を貫通して感知器試験部２８から煙溜り部２６に煙を流出させる循環経路を形成している。
【００４５】
インテークパイプ３０とエグゾーストパイプ３２の中には、開閉装置３４が設けられている。開閉装置３４は電磁ソレノイドやモータ駆動により、円形の弁板を閉鎖位置で水平とし、開放位置で垂直とする切替により流路を開閉させる。
【００４６】
隔壁２４と仕切板２２で区切られた煙溜り部２６には、送風部３６、濃度計３８及び回路基板に実装された制御部７２が配置されている。また、仕切板２２の下側には発煙装置４０が収納され、発煙装置４０の煙の放出口は煙溜り部２６に開口されている。
【００４７】
送風部３６は感度試験の際に駆動され、破線の矢印に示すように、発煙装置４０から放出された煙を還流して拡散させる。濃度計３８は煙溜り部２６に拡散された煙の濃度を検出して制御部７２に出力する。
【００４８】
発煙装置４０は、所定の水溶性液体の気化により霧化した擬似煙を発生して煙溜り部２６に放出させるものであり、本実施形態にあっては、市販されている所定サイズの加煙スプレー缶と同じ外形サイズを持つ筐体に発煙機構が組み込まれている。
【００４９】
装置本体１２の上部に配置された透明カバー２０の内部には、発報検出器３５が設けられており、試験発報した煙感知器１００に設けられた発報表示灯１０２の点灯による光を検出し、発報検出信号を制御部７２に出力する。
【００５０】
制御部７２は、遠隔制御器１６からの所定の操作指示に基づき感度試験を行なって試験結果を遠隔制御器１６に表示させる。
【００５１】
装置本体１２に設けられた制御部７２と支持棒１４の手元側に設けられた遠隔制御器１６との間は無線通信により各種の信号を送受信しており、両者の間を信号ケーブルで接続する必要がないことから、煙感知器試験装置１０が重くならず、支持棒１４を持って行う感知器試験の操作を容易に行うことができる。
【００５２】
また、遠隔制御器１６は支持棒１４の手元側に配置されているが、着脱自在であり、必要な場合は、支持棒１４から取り外して作業者が形態することができる。
【００５３】
（煙感知器試験装置の機能構成）
図２は装置本体と遠隔制御器の機能構成を示したブロック図である。
【００５４】
（装置本体の機能構成）
図２に示すように、装置本体１２には、制御部７２が設けられ、制御部７２に対し開閉装置３４、発報検出器３５、濃度計３８、図１に示した発煙装置４０に内蔵された発煙制御部５０、及びアンテナ７６が接続された通信部７４が接続され、図示しないリチウムイオン電池等の充電式の電池を電源として動作される。
【００５５】
制御部７２はＣＰＵ、メモリ、各種の入出力ポートを備えたコンピュータ回路で構成され、プログラムの実行により所定の感度試験制御を行う。
【００５６】
通信部７４は、例えば４００ＭＨｚ帯の特定小電力無線局の標準規格として知られたＳＴＤ−３０（小電力セキュリティシステム無線局無線設備標準規格）に準拠した通信プロトコルにより、遠隔制御器１６の通信部８０との間で、各種の操作信号や煙濃度等の測定信号等の送受信を行う。
【００５７】
（遠隔制御器の機能構成）
遠隔制御器１６には遠隔制御部７８が設けられ、遠隔制御部７８に対しアンテナ８２が接続された通信部８０、操作部８４、表示部８６及び音響部８８が接続され、図示しない電池を電源として動作される。
【００５８】
遠隔制御部７８はＣＰＵ、メモリ、各種の入出力ポートを備えたコンピュータ回路で構成され、プログラムの実行により所定の操作や表示の制御を行う。通信部７４は、装置本体１２の通信部７４と同じ通信プロトコルにより、遠隔制御器１６の通信部８０との間で、各種の操作信号や煙濃度等の測定信号等の送受信を行う。
【００５９】
（装置本体の感度試験制御）
装置本体１２の制御部７２は、遠隔制御器１６の操作に基づき、試験準備制御、試験開始制御及び試験終了制御からなる一連の感度試験制御を行う。
【００６０】
制御部７２は、試験準備制御として、遠隔操作器１６の操作部８４による所定の試験準備操作を検出した場合に、開閉装置３４を駆動して流路を閉鎖させた状態で発煙装置４０を作動させて擬似煙を発生させると共に送風部３６を作動させて煙溜り部２６内で放出された擬似煙を拡散還流させ、濃度計３８により検出された煙濃度が所定の試験開始濃度に達した場合に試験準備完了を遠隔操作器１６から報知させる制御を行う。
【００６１】
この試験準備制御は、装置本体１２を図１に示すように、支持棒１４を持って天井面の煙感知器１００に押し当てた状態で行う必要はなく、作業負担が大幅に低減される。
【００６２】
また、制御部７２は、試験準備制御に続く試験開始制御として、遠隔制御器１６による所定の試験開始操作を検出した場合に開閉装置３４を開放することで、図１に示した装置本体１２の煙溜り部２６に滞留させていた擬似煙を、インテークパイプ３０から感知器試験部２８を流入させると共にエグゾーストパイプ３２により感知器試験部２８から煙溜り部２６に擬似煙を排出させることで、還流させる制御を行う。
【００６３】
このため試験開始制御により煙溜り部２６に滞留保持されていた所定の試験準備濃度となった擬似煙が、開閉装置３４を開くことで、感知器試験部２８に送風部３６の送風より流入し、感知器試験部２８の煙濃度は短時間で感知器発報に必要な濃度に増加する。
【００６４】
この試験開始制御は、図１に示すように、支持棒１４を持って装置本体１２の透明カバー２０を、天井面に設置された煙感知器１００を下から覆うように押し当てた状態で行うことになるが、遠隔制御器１６により所定の試験開始操作を行ってから煙感知器１００が試験発報するまでの時間は短く、装置本体１２を煙感知器１００に押し当てている作業時間が短くなり、作業負担が低減すると共に作業効率を高めることができる。
【００６５】
また、制御部７２は、試験開始制御に続く試験終了制御として、透明カバー２０に設けられた発報検出部３５により、試験発報した煙感知器１００の発報表示灯１０２の点灯を検出した場合、開閉装置３４を閉鎖させ、煙溜り部２６に残留している擬似煙を保持させる制御を行う。
【００６６】
このため感度試験で使用された擬似煙を次の煙感知器の感度試験に再利用することができる。即ち、前に行った感度試験により、装置本体１２の煙溜り部２６には、ある程度の煙濃度の擬似煙が残留しており、次の感度試験で試験準備制御による発煙装置４０から擬似煙を閉鎖状態にある煙溜り部２６に放出させた場合、煙が残留していない場合に比べ、所定の試験準備濃度に達するまでの時間が短くなり、また、発煙装置４０からの発煙量も少なくて済み、発生させた擬似煙の再利用により感度試験の作業時間が短縮され、また、発煙装置４０からの発煙量も低下し、感度試験の回数が増加すると共に発煙装置４０の消耗を低減して交換品としてのコストを低減できる。
【００６７】
また、制御部７２による試験終了制御の他の制御として、作業者が煙感知器１００の試験発報による発報表示灯１０２の点灯を確認すると遠隔制御器１６で所定の試験終了操作を行うことから、この試験終了操作を検出した場合に、開閉装置３４を閉鎖させ、煙溜り部２６に残留している擬似煙を次の煙感知器の感度試験のために保持させる制御を行うようにしても良い。
【００６８】
また、制御部７２は、発報検出部３５により試験発報した煙感知器１００の発報表示灯１０２の点灯を検出した場合、又は、作業者による試験発報の確認で遠隔制御器１６の試験終了操作を検出した場合、そのとき濃度計３８により測定している試験発報時の煙濃度を、感知器識別情報や時刻情報と共にメモリに試験履歴として記憶させる制御を行う。制御部７２によりメモリに記憶された試験履歴は、外部機器を適宜の入出力インタフェースを介して接続することで読出して利用することができる。
【００６９】
（遠隔制御器の制御）
遠隔制御器１６の遠隔制御部７８は、操作部８４による試験準備操作、試験開始操作又は試験終了操作に対応して、通信部８０に指示して、それぞれの操作信号を装置本体１２に送信する制御を行う。
【００７０】
また、遠隔制御部７８は、試験準備制御、試験開始制御及び試験終了制御からなる一連の感度試験制御のあいだ、装置本体１２から送信されてくる濃度計３８で測定された煙濃度を、液晶表示器を備えた表示部８６に数値表示させる制御を行う。また、遠隔制御部８４が濃度計３８で測定された煙濃度が所定の試験準備濃度に達した場合に、表示部８６に試験準備濃度への到達を表示させると共に、音響部８８に指示して試験準備完了を示す所定の報知音を出力させる制御を行う。
【００７１】
また、遠隔制御部７８は、装置本体１２の制御部７２から発報検出器３５の発報検出による発報検出信号を受信した場合、表示部８６に試験発報を表示させると共に、音響部８８に指示して試験発報を示す所定の報知音を出力させる制御を行う。
【００７２】
［発煙装置］
図３は発煙装置を取り出して示した説明図であり、図３（Ａ）に外観を示し、図３（Ｂ）に内部構造を示す。また図４は発煙カートリッジの実施形態を断面により示した説明図、図５は発煙カートリッジを交換するために発煙装置を分解した状態を示した説明図である。
【００７３】
（発煙装置の構成）
図２に示すように、発煙装置４０は、フロンガスを使用した市販の発煙スプレー缶と同じ外形サイズとなる例えば直径５０ミリメートル、高さ１５０ミリメートルの円筒状の筐体４２を備え、本実施形態では、筐体４２は高さ方向に半分に分けられた上ケース４２ａと下ケース４２ｂに分離可能であり、中央の連結部４２ｃで連結され、更に、下ケース４２ｂには通気孔４２ｄが形成されている。
【００７４】
また、筐体４２の材質は金属ケースとしても良いし、合成樹脂ケースとしても良い。また、筐体４２は必ずしも密閉構造とする必要はなく、図１に示した本体ケース１８に収納可能な枠形状であっても良い。
【００７５】
発煙装置４０の筐体４２内には、リチウムイオン電池等の充電式の電池４４、送風部として機能する送風ポンプ４５、気流検知部４８、発煙制御部５０、コネクタ５４により着脱自在な発煙カートリッジ６０が組み込まれている。
【００７６】
送風ポンプ４５は小型化するため例えば圧電ポンプを使用している。送風ポンプ４５の駆動による加圧空気はエアーパイプ４６を介して送り出され、円筒ケース５２ａ，５２ｂに送り込まれる。円筒ケース５２ａ内には気流検知部４８と回路基板に実装された発煙制御部５０が配置されている。また、円筒ケース５２ｂ内には、発煙制御部５０に対しコネクタ５４により着脱自在に設けられた発煙カートリッジ６０が収納されている。
【００７７】
送風ポンプ４５からエアーパイプ４６を介して送り込まれた加圧空気は、破線で示すように、円筒ケース５２ａ内の気流検知部４８から発煙制御部５０の周囲を通り、円筒ケース５２ｂの発煙カートリッジ６０の中にコネクタ５４の部分から送り込まれ、また、発煙カートリッジ６０の周囲を通って円筒ケース５２ａの上端の放出口５３から放出される。気流検知部４８は円筒ケース５２ａ内を流れる気流を検知し、気流検知信号を発煙制御部５０に出力する。
【００７８】
筐体４２における上ケース５２ａの外側にはコネクタ５６が配置されており、図１に示した制御部７２からの信号線７３が接続されている。円筒ケース５２ａの外側にはコネクタ５５が設けられており、コネクタ５６からの信号線５７、電池４４からの電源線５８及び送風ポンプ４５に対する制御線５９などを発煙制御部５０に接続している。
【００７９】
発煙制御部５０は、図１に示した制御部７２からの発煙制御信号を受信すると、送風ポンプ４５を駆動し、加圧空気をエアーパイプ４６から円筒ケース５２ａ，５２ｂに送り込み、その一部を発煙カートリッジ６０内に送り込む制御を行う。
【００８０】
また、発煙制御部５０は、円筒ケース５２ａ内に設けられた気流検知部４８の気流検知信号により気流を検知した場合、発煙カートリッジ６０に内蔵されているヒータに通電して加熱させ、発煙カートリッジ６０内に組み込まれている液体供給部に含浸された発煙用の水溶性溶液を気化させることで擬似煙を発煙させ、円筒ケース５２ｂの放出口５３から放出させる制御を行う。
【００８１】
（発煙カートリッジ）
図４に示すように、発煙カートリッジ６０は、筒体６２の内部に棒状の液体供給部６８が収納され、液体供給部６８にはヒータ７０が巻き回され、ヒータ７０の下側はコネクタ５４の接続ピン５４ａ，５４ｂに接続されている。
【００８２】
筒体６２は下端に流入口６４が開口され、図３の送風ポンプ４５から送られた加圧空気を矢印に示すように、筒体６２の中に導入する。また、筒体６２の上部には放出口６６が開口され、流入口６４から導入した空気を上方に放出させている。
【００８３】
液体供給部６８は、例えばガラス繊維等の繊維系不燃性フィルタ又は発泡樹脂製の不燃性フィルタを棒状に形成したものであり、フィルタは表面のあらゆる方向に向かって通気可能に開口した多数の空隙孔が内部に形成されており、この空隙孔内に発煙剤となる所定の水溶性液体を含浸させている。
【００８４】
液体供給部６８には、ニクロム線、白金線等の金属線を用いたヒータ７０がスパイラル状に巻き付けられており、液体供給部６８に含浸された水溶性液体をヒータ７０に接触させ、ヒータ７０に対する通電により加熱で、液体供給部６８に含浸された水溶性液体を気化させ、気流に乗せて放出口６６から放出させることで霧化された擬似煙（エアロゾル）を発生させる。
【００８５】
液体供給部６８に含浸させる水溶性液体としては、親水性を有し保水性が高い成分、例えば、グリセリン、プロピレングリコール等の成分のうち少なくとも一の成分を含む人体に無害な水溶性液体が用いられている。
【００８６】
液体供給部６８に含浸されたグリセリン、プロピレングリコール等の成分を含む水溶性液体をヒータ７０により加熱して気化させると、グリセリン、プロピレングリコール等の成分が水と共に蒸発し、放出口６６から放射された後に冷えて核となり、これに水蒸気が凝集して白い煙状になることで擬似煙が生成される。
【００８７】
このようにして生成された擬似煙にあっては、プロピレングリコールやグリセリンは親水性が高く、蒸発した水分を取り込むと共に、取り込んだ水分の蒸発を防ぐ効果が高いために、白い煙が比較的長時間にわたり空気中に浮遊することになる。
【００８８】
（カートリッジ交換）
図５に示すように、使い終わった発煙カートリッジ６０を交換する場合には、図１の装置本体１２から取り出した発煙装置４０について、筐体４２の下ケース４２ｂから上ケース４２ａを取外し、下ケース４２ｂ内に収納されている円筒ケース５２ａ，５２ｂを露出させ、続いて円筒ケース５２ｂを取り外して発煙カートリッジ６０を露出させる。
【００８９】
発煙カートリッジ６０は発煙制御部５０側にコネクタ５６で接続されていることから、使い終わった発煙カートリッジ６０を取り外し、新しい発煙カートリッジに差し替えて交換する。
【００９０】
［気流検知部のない発煙装置］
本実施形態の煙感知器試験装置に使用する発煙装置の他の実施形態として、図３の発煙装置４０に設けている気流検知部４８を除いた構成としても良い。
【００９１】
気流検知部４８を持たない実施形態にあっては、発煙制御部５０は、図１の制御部７２から発煙制御信号を受信した場合、送風ポンプ４５の駆動に加え、発煙カートリッジ６０に内蔵されたヒータ７０に通電加熱を行う。
【００９２】
このように気流検知部４８を設けていなくとも、送風ポンプ４５の駆動により発煙カートリッジ６０に加圧空気が送られることから、発煙カートリッジ６０内を通過する気流が断たれることはなく、ヒータ７０の異常な加熱が起きる可能性もないことから、実用上は、気流検知部４８を設けなくとも正常に動作させることが可能となる。
【００９３】
［煙感知器試験装置による試験作業］
次に、本実施形態の煙感知器試験装置１０を使用した煙感知器の感度試験について説明する。
【００９４】
図１に示すように、煙感知器試験装置１０により煙感知器１００の感度試験を行うには、煙感知器１００の設置場所で遠隔制御器１６により試験準備操作を行うと、装置本体１２の制御部７２に試験準備制御信号が送信され、制御部７２は開閉装置３４を閉鎖させた状態で、発煙装置４０に発煙制御信号を出力して擬似煙を放出させると共に送風部３６に駆動信号を出力して煙溜り部２６に放出された擬似煙を拡散させる。
【００９５】
この状態で発煙制御部５０は濃度計３８により測定している煙溜り部２６の煙濃度が所定の試験準備濃度に達したことを検出すると、遠隔制御器１６に試験準備完了信号を送信し、表示と音響出力により作業者に感度試験準備完了を報知する。
【００９６】
感度準備完了を知った作業者は、支持棒１４の操作により装置本体１２を、天井面に設置された煙感知器１００に下から覆うように押し当て、透明カバー２０の周端縁を天井に密着させ、感知器試験部２８の中に煙感知器１００を位置させる。
【００９７】
この状態で作業者が遠隔制御器１６の感度試験開始操作を行うと、制御部７２に感度試験開始信号が送信され、制御部７２は開閉装置３４を開放位置に駆動させる。このため煙溜り部２６に滞留していた擬似煙は、送風部３６の送風によりインテークパイプ３０を通って感知器試験部２８に煙溜り部２６から擬似煙が送り込まれ、また、エグゾーストパイプ３２を通って感知器試験部２８から煙溜り部２６に擬似煙が送り出され、煙溜り部２６と感知器試験部２８の間を還流しながら発煙装置４０からの擬似煙の放出により煙濃度が増加する。
【００９８】
感知器試験部２８の煙濃度の増加により煙感知器１００が試験発報すると発報表示灯１０２が点灯される。発報表示灯１０２の点灯は発報検出器３５で検出され、発報検出信号が制御部７２に出力される。発報制御信号が入力された制御部７２は、遠隔制御器１６に発報検出信号を送信し、これを受信した遠隔制御器１６は試験発報を報知すると共に濃度計３８で測定している煙濃度を表示させる。
【００９９】
作業者は、遠隔制御器１６による試験発報の報知を確認し、必要な場合は、試験発報したときの煙濃度を記録し、これにより感度試験が終了する。感度試験が終了すると、作業者は遠隔制御器１６で感度試験終了操作を行い、感度試験終了信号が制御部７２に出力され、この感度試験終了信号を受信した制御部７２は、開閉装置３４を閉鎖位置に駆動し、煙溜り部２６に滞留している擬似煙を封じ込め、次の煙感知器の感度試験に利用可能とする。以下同様に、警戒区域を移動しながら煙感知器の感度試験
【０１００】
［煙感知器試験装置の第２実施形態］
図６は煙感知器試験装置の第２実施形態を示した説明図であり、図６（Ａ）は試験前の状態を示し、図６（Ｂ）は試験中を示し、本実施形態は天井面の押し付けにより検出スイッチを作動して煙を放出させるようにしたことを特徴とする。
【０１０１】
図６（Ａ）に示すように、装置本体１２は、本体ケース１８と伸縮透明カバー２０ａで構成され、本体ケース１８の中に仕切板２２が配置されると共に、本体ケース１８の上部開口に隔壁２４が配置され、隔壁２４の下側に煙溜り部２６が形成され、隔壁２４の上側に配置された伸縮透明カバー２０ａの中に上方に開口した感知器試験部２８が形成されている。
【０１０２】
また、隔壁２４の上側には取付部９４に固定された検出スイッチ９０が配置され、検出スイッチ９０からは上方に検出ロッド９２が突出され、検出ロッド９２の先端は伸縮透明カバー２０ａの上に飛び出している。
【０１０３】
検出スイッチ９０は図示の検出ロッド９２の先端が天井面１０１に当接していないフリー状態では、内蔵したコイルバネにより図示の位置に突出してスイッチ接点をオフしており、検出ロッド９２の先端が天井面１０１への当接で押し込まれるとスイッチ接点がオンし、且つ検出ロッド９２がオン位置にロックされる。検出ロッド９２のロック解除はオン位置にある検出ロッド９２を天井面１０１に当接して再度押し込むと解除されて突出し、スイッチ接点はオフとなる。
【０１０４】
それ以外の構造は図１の第１実施形態と同じになることから、同一符号を付して説明は省略する。
【０１０５】
本実施形態の煙感知器試験装置１０を使用した煙感知器の発報試験は次のようになる。図６（Ａ）に示すように、煙感知器１００の設置場所で図１に示した遠隔制御器１６により試験準備操作を行うと、装置本体１２の制御部７２に試験準備制御信号が送信され、制御部７２は開閉装置３４を閉鎖させた状態で、発煙装置４０に発煙制御信号を出力して擬似煙を放出させると共に送風部３６に駆動信号を出力して煙溜り部２６に放出された擬似煙を拡散させる。
【０１０６】
この状態で濃度計３８により測定している煙溜り部２６の煙濃度が所定の試験準備濃度に達すると、遠隔制御器１６から表示と音響出力により作業者に感度試験準備完了が報知される。
【０１０７】
感度準備完了を知った作業者は、図６（Ｂ）に示すように、支持棒１４の操作により装置本体１２を、天井面１０１に設置された煙感知器１００に下から覆うように押し当て、伸縮透明カバー２０ａの周端縁を天井に密着させ、感知器試験部２８の中に煙感知器１００を位置させる。
【０１０８】
このような装置本体１２の天井面１０１への押し当てに伴い、検出ロッド９２が天井面に当接して押し込まれ、検出スイッチ９０がオンする。検出スイッチ９０のオン信号は制御部７２に試験開始信号が送信され、制御部７２は開閉装置３４を開放位置に駆動させる。
【０１０９】
このため煙溜り部２６に滞留していた擬似煙は、送風部３６の送風によりインテークパイプ３０を通って感知器試験部２８に煙溜り部２６から擬似煙が送り込まれ、また、エグゾーストパイプ３２を通って感知器試験部２８から煙溜り部２６に擬似煙が送り出され、煙溜り部２６と感知器試験部２８の間を還流しながら発煙装置４０からの擬似煙の放出により煙濃度が増加する。感知器試験部２８の煙濃度の増加により煙感知器１００が試験発報すると発報表示灯１０２が点灯される。
【０１１０】
作業者は、遠隔制御器１６による試験発報を確認したならば、装置本体１２を再度押し上げて検出ロッド９２を検出スイッチ９０に押し込むと、検出ロッド９２のロックが解除されて元に戻り、同時に検出スイッチ９０がオフし、制御部７２に試験終了信号が送信され、開閉装置３４を閉鎖位置に駆動し、煙溜り部２６に滞留している擬似煙を封じ込め、次の煙感知器の発報試験に利用可能とする。以下同様に、警戒区域を移動しながら煙感知器の発報試験を繰り返す。
【０１１１】
このように本実施形態は、装置本体１２を天井面に押し付けた場合に、煙溜り部２６が開放されることで感知器試験部２８に煙を放出して試験を行わせ、手元に設けた遠隔制御器の操作を必要することなく、装置本体１２を天井面に押し付けるだけで簡単に感知器発報試験を行うことができる。
【０１１２】
なお、検出スイッチ９０は、検出ロッド９２が押し込まれたときにロックされ、再度押し込まれたときにロックが解除されるロック型のスイッチを使用しているが、これに限定されず、検出ロッド９２が所定量押し込まれたときにオンし、押し出されたときにオフするノンロック型のスイッチを使用しても良い。
【０１１３】
また、煙感知器１００の感度試験は、前述した発報試験に加え、煙感知器１００が試験発報した場合に濃度計３８で測定している煙濃度を記録する作業を行うことになる。
【０１１４】
［煙感知器試験装置の第３実施形態］
図７は煙感知器試験装置の第３実施形態を示した説明図であり、図７（Ａ）は試験前の状態を示し、図７（Ｂ）は試験中を示し、本実施形態は天井面の押し付けにより煙を放出する機械的な構造を備えたことを特徴とする。
【０１１５】
図７（Ａ）に示すように、装置本体１２は、本体ケース１８と伸縮透明カバー２０ａで構成され、本体ケース１８の中に仕切板２２が配置されると共に、本体ケース１８の上部開口に隔壁２４が配置され、隔壁２４の下側に煙溜り部２６が形成され、隔壁２４の上側に配置された伸縮透明カバー２０ａの中に上方に開口した感知器試験部２８が形成されている。
【０１１６】
隔壁２４にはインテーク開口１２０とエグゾースト開口１２２が形成され、それぞれの下側にシール１１８を備えた弁体１１６が配置され、弁体１１６は横方向に配置されたロッドアーム１１２に支持されており、ロッドアーム１１２の両側からは隔壁２４を摺動自在に貫通して上方に突出された検出ロッド１１０が一体に設けられている。また、ロッドアーム１１２はコイルバネ１１４を介して隔壁２４の下側に連結されており、コイルバネ１１４の力によりシール１１８を介して弁体１１６をインテーク開口１２０とエグゾースト開口１２２に押し当てて閉鎖している。
【０１１７】
ここで、天井面１０１に設置された煙感知器１００の高さをｈとすると、隔壁２４の上面から検出ロッド１１０の先端までの高さαは、煙感知器１００の高さｈよりも大きくなるように設定している。それ以外の構造は図１の第１実施形態と同じになることから、同一符号を付して説明は省略する。
【０１１８】
本実施形態の煙感知器試験装置１０を使用した煙感知器の感度試験は次のようになる。図７（Ａ）に示すように、作業者は煙感知器１００の設置場所で遠隔制御器１６により試験準備操作を行うことで煙溜り部２６に擬似煙が拡散され、遠隔制御器１６から表示と音響出力により感度準備完了が報知されたならば、図７（Ｂ）に示すように、支持棒１４の操作により装置本体１２を、天井面１０１に設置された煙感知器１００に下から覆うように押し当て、伸縮透明カバー２０ａの周端縁を天井に密着させ、感知器試験部２８の中に煙感知器１００を位置させた状態で更に押し上げる。
【０１１９】
このような装置本体１２の天井面１０１への押し当てに伴い、検出ロッド１１０が天井面に当接して押し込まれ、ロッドアーム１１２がコイルバネ１１４に抗して下降し、シール１１８を備えた弁体１１６も下降し、隔壁２４のインテーク開口１２０とエグゾースト開口１２２が開口される。
【０１２０】
このため煙溜り部２６に滞留していた擬似煙は、送風部３６の送風によりインテーク開口１２０を通って感知器試験部２８に送り込まれ、また、エグゾースト開口１２２を通って感知器試験部２８から煙溜り部２６に擬似煙が送り出され、煙溜り部２６と感知器試験部２８の間を還流しながら発煙装置４０からの擬似煙の放出により煙濃度が増加し、煙感知器１００が試験発報すると発報表示灯１０２が点灯される。
【０１２１】
作業者は、遠隔制御器１６による試験発報を確認したならば、装置本体１２を下げ、検出ロッド１１０が天井面１０１から離れると、コイルバネ１１４の力によりロッドアーム１１２が図７（Ａ）に示すように元の位置に戻り、シール１１８を介して弁体１１６によりインテーク開口１２０とエグゾースト開口１２２が閉鎖されて煙溜り部２６に滞留している擬似煙を封じ込め、次の煙感知器の発報試験に利用可能とする。以下同様に、警戒区域を移動しながら煙感知器の感度試験を繰り返す。
【０１２２】
このように本実施形態は、装置本体１２を天井面に押し付けた場合に、煙溜り部２６が機械的に開放されることで感知器試験部２８に煙を放出して試験を行わせ、手元に設けた遠隔制御器の操作を必要することなく、装置本体１２を天井面に押し付けるだけの簡単に操作により試験を行うことができる。
【０１２３】
［煙感知器試験装置の第４実施形態］
図８は煙感知器試験装置の第４実施形態を示した説明図であり、図８（Ａ）は試験前の状態を示し、図８（Ｂ）は試験中を示し、本実施形態は天井面の押し付けにより煙を放出する機械的な構造を備えたことを特徴とする。
【０１２４】
図８（Ａ）に示すように、装置本体１２は、本体ケース１８と伸縮透明カバー２０ａで構成され、本体ケース１８の中に仕切板２２が配置されると共に、本体ケース１８の上部開口に隔壁２４が配置され、隔壁２４の下側に煙溜り部２６が形成され、隔壁２４の上側に配置された伸縮透明カバー２０ａの中に上方に開口した感知器試験部２８が形成されている。
【０１２５】
隔壁２４にはインテーク開口１２０とエグゾースト開口１２２が形成され、それぞれの下側にシール１２８を備えた弁体１２６が配置され、弁体１２６からは上方に向けて検出ロッド１２４が一体に設けられ、検出ロッド１２４の途中に固定されたストッパ１３２と隔壁２４との間にコイルバネ１３０が配置されている。なお、隔壁２４の下側には仕切壁２４ａが形成され、送風部３６からの送風をインテーク開口１２０に導くようにしている。
【０１２６】
ここで、天井面１０１に設置された煙感知器１００の高さをｈとした場合、隔壁２４の上面から検出ロッド１２４の先端までの高さαは、図８の第３実施形態と同様、煙感知器１００の高さｈよりも大きくなるように設定している。それ以外の構造は図１の第１実施形態と同じになることから、同一符号を付して説明は省略する。
【０１２７】
本実施形態の煙感知器試験装置１０を使用した煙感知器の発報試験は次のようになる。図８（Ａ）に示すように、作業者は煙感知器１００の設置場所で遠隔制御器１６により試験準備操作を行うことで煙溜り部２６に擬似煙が拡散され、遠隔制御器１６から表示と音響出力により試験準備完了が報知されたならば、図８（Ｂ）に示すように、支持棒１４の操作により装置本体１２を、天井面１０１に設置された煙感知器１００に下から覆うように押し当て、伸縮透明カバー２０ａの周端縁を天井に密着させ、感知器試験部２８の中に煙感知器１００を位置させた状態で更に押し上げる。
【０１２８】
このような装置本体１２の天井面１０１への押し当てに伴い、検出ロッド１２４が天井面に当接して押し込まれ、コイルバネ１３０に抗して下降され、シール１２８を備えた弁体１２６も下降し、隔壁２４のインテーク開口１２０とエグゾースト開口１２２が開口される。
【０１２９】
このため煙溜り部２６に滞留していた擬似煙は、送風部３６の送風によりインテーク開口１２０を通って感知器試験部２８に送り込まれ、また、エグゾースト開口１２２を通って感知器試験部２８から煙溜り部２６に擬似煙が送り出され、煙溜り部２６と感知器試験部２８の間を還流しながら発煙装置４０からの擬似煙の放出により煙濃度が増加し、煙感知器１００が試験発報すると発報表示灯１０２が点灯される。
【０１３０】
作業者は、遠隔制御器１６による試験発報を確認したならば、装置本体１２を下げ、検出ロッド１１０が天井面１０１から離れると、コイルバネ１３０の力により検出ロッド１２４が図８（Ａ）に示すように元の位置に戻り、シール１２８を介して弁体１２６によりインテーク開口１２０とエグゾースト開口１２２が閉鎖されて煙溜り部２６に滞留している擬似煙を封じ込め、次の煙感知器の発報試験に利用可能とする。以下同様に、警戒区域を移動しながら煙感知器の発報試験を繰り返す。
【０１３１】
このように本実施形態は、装置本体１２を天井面に押し付けた場合に、煙溜り部２６が機械的に開放されることで感知器試験部２８に煙を放出して試験を行わせ、手元に設けた遠隔制御器の操作を必要することなく、装置本体１２を天井面に押し付けるだけの簡単な操作により試験を行うことができる。
【０１３２】
また、図７の第３実施形態に比べ、煙溜り部を機械的に開放させる構造を簡単にすることができる。
【０１３３】
［煙感知器試験装置の第５実施形態］
図９は煙感知器試験装置の第４実施形態を示した説明図であり、図９（Ａ）は試験前の状態を示し、図９（Ｂ）は試験中を示し、本実施形態は天井面の押し付けにより煙を放出する機械的な構造を備えたことを特徴とする。
【０１３４】
図９（Ａ）に示すように、装置本体１２は、本体ケース１８と透明カバー１４０で構成され、本体ケース１８の中に仕切板２２が配置されると共に、本体ケース１８の上部開口に隔壁２４が配置され、隔壁２４の下側に煙溜り部２６が形成され、隔壁２４の上側に配置された透明カバー１４０の中に煙溜り部２６ａが形成されている。
【０１３５】
透明カバー１４０は上面が閉鎖された円筒体であり、上面に煙感知器１００を収納可能な開口１４２が形成されている。透明カバー１４０に形成された開口１４２の下側には間にＯリング等のシール１４６を介して開閉板１４４がコイルバネ１５０の力により押し当てられ、開口１４２が閉鎖されている。また、透明カバー１４０の上端には外側に開いた形状のシールカバー１４８が装着されている。
【０１３６】
隔壁２４にはインテーク開口１２０とエグゾースト開口１２２が形成されているが、常時開口しており、このため開閉板１４４により開口１４２の閉鎖状態で透明カバー１３０の内部は煙溜り部２６ａとして機能している。隔壁２４はコイルバネ１５０の弾性力を受けて変形しない程度の骨組み形状として、煙溜り部２６と煙溜り部２６ａはほぼ開放している構造とすることが煙濃度を均一にするために好ましい。
【０１３７】
ここで、天井面１０１に設置された煙感知器１００の高さをｈとした場合、隔壁２４の上面から閉鎖位置にある開口１４２の上縁までの高さは高さαは、煙感知器１００の高さｈよりも大きくなるように設定している。
【０１３８】
それ以外の構造は図１の第１実施形態と同じになることから、同一符号を付して説明は省略する。
【０１３９】
本実施形態の煙感知器試験装置１０を使用した煙感知器の発報試験は次のようになる。図９（Ａ）に示すように、作業者は煙感知器１００の設置場所で遠隔制御器１６により試験準備操作を行うことで煙溜り部２６に擬似煙が拡散され、更に、インテーク開口１２０から開閉板１４４に開口１４２が閉鎖されている透明カバー１４０内の煙溜り部２６ａに拡散され、エグゾースト開口１２２から煙溜り部２６に還流された状態にある。
【０１４０】
この状態で遠隔制御器１６から表示と音響出力により感度準備完了が報知されたならば、図９（Ｂ）に示すように、支持棒１４の操作により装置本体１２を、天井面１０１に設置された煙感知器１００に下から覆うように押し当て、透明カバー１４０の中に感知器１００が入るように押し上げる。
【０１４１】
このような装置本体１２の操作により、煙感知器１００の下側が開閉板１４４に当たり、コイルバネ１５０に抗して開閉板１４４が押し下げられ、透明カバー１４０の中に感知器１００が収納された状態となる。また、装置本体１２の天井面１０１への押し付けにより、透明カバー１４０の上部に配置されたシールカバー１４８が天井面１０１に押し当てられた透明カバー１４０内を密閉状態とする。
【０１４２】
このため煙溜り部２６，２６ａに滞留していた擬似煙は、送風部３６の送風によりインテーク開口１２０から開口１４２を通って開閉板１４４の上側に形成された感知器試験部２８に送り込まれ、また、エグゾースト開口１２２を通って感知器試験部２８から煙溜り部２６に擬似煙が送り出され、煙溜り部２６と感知器試験部２８の間を還流しながら発煙装置４０からの擬似煙の放出により煙濃度が増加し、煙感知器１００が試験発報すると発報表示灯１０２が点灯される。
【０１４３】
作業者は、遠隔制御器１６による試験発報の報知を確認したならば、装置本体１２を下げ、装置本体１２が煙感知器１００から離れると、コイルバネ１５０の力により開閉板１４４が図９（Ａ）に示すように元の位置に戻って透明カバー１４０の開口が閉鎖され、煙溜り部２６，２６ａに滞留している擬似煙を封じ込め、次の煙感知器の感度試験に利用可能とする。以下同様に、警戒区域を移動しながら煙感知器の発報試験を繰り返す。
【０１４４】
このように本実施形態は、装置本体１２を天井面の感知器に押し付けた場合に、煙溜り部２６が機械的に開放されることで感知器試験部２８に煙を放出して試験を行わせ、手元に設けた遠隔制御器の操作を必要することなく、装置本体１２を天井面に押し付けるだけで簡単に感知器発報試験を行うことができる。
【０１４５】
［本発明の変形例］
（発報試験装置としての機能）
上記の実施形態は、煙感知器試験装置を感度試験装置として機能させるため濃度計と表示部を設けているが、発報試験装置として機能させる場合には、濃度計と表示部を除いた構成とすれば良い。
【０１４６】
（手動による発煙装置の起動）
また、本発明の煙感知器試験装置の他の実施形態として、遠隔制御器１６等の操作部により、発煙装置４０の擬似煙発生動作が制御されるようにしても良い。このような形態とすることで手元側の表示部で濃度を確認しながら擬似煙の発生を手動で調整し、適宜の濃度に調整することが可能となる。操作部は、発煙装置と接続され把持部近傍までの長さを有する紐部材で構成されても良い。例えば紐部材を引っ張ることにより擬似煙の発生ＯＮ・ＯＦＦを切り替えたりしても良い。
【０１４７】
（煙感知器試験装置）
上記の実施形態に示したように、煙感知器試験装置の装置本体は、隔壁により密閉された煙溜り部と上方に開口した感知器試験部に分離され、隔壁に開閉装置を備えた還流経路が設けられていれば良く、上記の実施形態に示した構造及び配置は一例であり、必要に応じて適宜の配置をすることができる。
【０１４８】
（発煙装置）
上記の実施形態に示した発煙装置は、所定の発煙スプレー缶と同じ外形の筐体内に電池、送風ポンプ、気流検知部、制御部、発煙カートリッジを配置しているが、これに限定されず、適宜の外形をもつ筐体内に収納配置したものであっても良い。また、上記の実施形態の発煙装置における電池、送風ポンプ、気流検知部、制御部、発煙カートリッジの配置は一例であり、これに限定されず、必要に応じて適宜の配置をとることができる。
【０１４９】
（発煙カートリッジ）
上記の実施形態は、発煙カートリッジの液体供給部に含浸させた水溶性液体を使い切った場合に、新しい発煙カートリッジに交換するようにしているが、発煙カートリッジを交換せずに、例えば、発煙カートリッジの上端の放出口から、スポイト等を使用して水溶性液体を液体供給部に注入して含浸させるようにしても良い。
【０１５０】
このような水溶性液体の補充による含浸を効率良く可能とするため、例えば、液体供給部を中空穴の棒状フィルタ部材とし、中空穴に外部から溶性液体を注入して含浸させるようにしても良い。なお、水溶性液体の補充を可能とした発煙カートリッジにあっても、繰り返し使用しているとフィルタ詰まりが起きることから、ある程度使用した段階で、新品と交換するといった使い方が望ましい。
【０１５１】
（その他）
また本発明は、その目的と利点を損なうことのない適宜の変形を含み、更に、上記の実施形態に示した数値による限定は受けない。
【符号の説明】
【０１５２】
１０：煙感知器試験装置
１２：装置本体
１４：支持棒
１６：遠隔制御器
１８：本体ケース
２０：透明カバー
２０ａ：伸縮透明カバー
２２：仕切板
２４：隔壁
２６：煙溜り部
２８：感知器試験部
３０：インテークパイプ
３２：エグゾーストパイプ
３４：開閉装置
３５：発報検出器
３６：送風部
３８：濃度計
４０：発煙装置
４２ａ：上ケース
４２ｂ：下ケース
４２ｃ：連結部
４２ｄ：通気孔
４４：電池
４５：送風ポンプ
４６：エアーパイプ
４８：気流検知部
５０：発煙制御部
５２ａ，５２ｂ：円筒ケース
５３：放出口
５４，５５，５６：コネクタ
６０：発煙カートリッジ
６２：筒体
６４：流入口
６６：放出口
６８：液体供給部
７０：ヒータ
７２：制御部
７４，８０：通信部
７８：遠隔制御部
８４：操作部
８６：表示部
８８：音響部
９０：検出スイッチ
９２，１１０，１２４：検出ロッド
１１２：ロッドアーム
１１４，１３０，１５０：コイルバネ
１１６，１２６：弁体
１１８，１２８，１４６：シール
１２０：インテーク開口
１２２：エグゾースト開口
１３２：ストッパ
１４０：透明カバー
１４２：開口
１４４：開閉板
１４８：シールカバー
【図１】
2018185640.tif 000003
【図２】
2018185640.tif 000004
【図３】
2018185640.tif 000005
【図４】
2018185640.tif 000006
【図５】
2018185640.tif 000007
【図６】
2018185640.tif 000008
【図７】
2018185640.tif 000009
【図８】
2018185640.tif 000010
【図９】
2018185640.tif 000011